(57)【要約】【課題】ディスクに記録されたデータがＮｅｔＭＤ規格でチェックアウトされた楽曲データであることを容易に識別できるようにする。【解決手段】コンピュータ１２が楽曲データをチェックアウトすると、記録再生装置１１の中央制御部２３は、ディスク１のＵＴＯＣ情報に含まれるタイトルデータの先頭に、識別情報を追加して記録する。そして、楽曲を再生する場合、中央制御部２３は、この表示を表示部２６に行わせる。これにより、表示部２６に表示されたタイトルデータに付加された識別情報を確認することで、この楽曲データがＮｅｔＭＤ規格にてチェックアウトされたものであるかどうかが容易に識別される。【選択図】  図１
2004259410.tif 000002
【特許請求の範囲】
【請求項１】
データを受信して記録媒体に記録し、前記記録媒体に記録されたデータを再生する記録再生装置において、
チェックアウトデータを受信して前記記録媒体に記録するデータ記録手段と、
前記データ記録手段が前記記録媒体に記録したデータがチェックアウトデータであることを示す識別情報を前記記録媒体に記録する識別情報記録手段と、
前記記録媒体に記録されたチェックアウトデータの再生時に、前記識別情報を前記記録媒体から読み出して表示部に表示させる識別情報表示手段と、を備えた、
ことを特徴とする記録再生装置。
【請求項２】
前記識別情報記録手段は、前記識別情報を前記チェックアウトデータのタイトルデータに付加して前記記録媒体に記録し、
前記識別情報表示手段は、前記識別情報をタイトルデータとともに前記表示部に表示させるものである、
ことを特徴とする請求項１に記載の記録再生装置。
【請求項３】
前記データ記録手段は、チェックアウトコマンドを受信してデータを受信すると、前記チェックアウトコマンドに続いて受信したデータがチェックアウトデータであると判定する判定手段を備えた、
ことを特徴とする請求項１又は２に記載の記録再生装置。
【請求項４】
前記データ記録手段は、前記チェックアウトデータを前記記録媒体に記録すると、記録したチェックアウトデータの照合用データを前記チェックアウトデータの送信元に送信する照合用データ送信手段を備えた、
ことを特徴とする請求項１乃至３のいずれか１項に記載の記録再生装置。
【請求項５】
チェックアウトコマンドを受信するステップと、
チェックアウトデータを受信するステップと、
前記チェックアウトデータを記録するステップと、
前記記録したデータがチェックアウトデータである旨の識別情報を記録するステップと、
前記チェックアウトデータの再生時に、前記記録された識別情報を読み出して表示させるステップと、を備えた、
ことを特徴とする記録再生方法。
【発明の詳細な説明】
【０００１】
【発明の属する技術分野】
本発明は、記録再生装置及び記録再生方法に関する。
【０００２】
【従来の技術】
オーディオシステムとして、コンピュータがネットワークに接続され、このコンピュータに記録再生装置を接続して、ネットワークを介して供給された楽曲データをミニディスク（Ｍｉｎｉ  Ｄｉｓｋ、ＭＤ）のような記録媒体に記録するようなものがある（例えば、特許文献１参照）。
【０００３】
また、コンピュータから記録再生装置に楽曲データを送信して、記録媒体に楽曲データを記録する規格としてＮｅｔＭＤ規格がある。このＮｅｔＭＤ規格では、著作権を保護するため、チェックアウト、チェックインという機能を用いている。
【０００４】
チェックアウトとは、コンピュータから記録再生装置に楽曲データを送信して記録媒体に記録することをいい、チェックインとは、記録媒体に記録した楽曲データを記録再生装置からコンピュータに戻すことをいう。尚、チェックインの際、記録媒体に記録された楽曲データは、消去される。このチェックアウトを行う回数には、制限回数が設けられている。この制限回数は楽曲データ毎に設けられる。
【０００５】
そして、楽曲データをチェックアウトするとき、制限回数を１つ減じる。制限回数を超えると、その楽曲データのチェックアウトを禁止する。チェックインするときは、コンピュータ側の制限回数を１つ増やす。
【０００６】
しかし、チェックアウトして編集された楽曲データをチェックインすることを許容することは、楽曲データの編集を認めてしまうことになるため、著作権保護の観点から適切ではない。
【０００７】
このため、ＮｅｔＭＤ規格では、書き込みプロテクトフラグを用いて、コンピュータがチェックアウトした楽曲データを編集できないようにする機能が規定されている。
【０００８】
即ち、コンピュータは、楽曲データをチェックアウトする場合、楽曲データの書き込みプロテクトフラグのフラグ値を、例えば、「０」にして、楽曲データの編集等を禁止する。従って、このフラグ値が「０」である限り、記録再生装置側では、チェックアウトされた楽曲データを編集することはできない。
【０００９】
しかし、記録再生装置側で、このフラグ値が書き換えられて編集されると、コンピュータが記憶しているもとの楽曲データとチェックインされた編集済みの楽曲データとは、相違する。
【００１０】
このため、コンピュータはチェックインの際に、チェックインされた楽曲データともとの楽曲データとを照合する。照合の結果、不一致と判定すると、コンピュータは楽曲データのチェックインを禁止する。従って、コンピュータに記憶されている、楽曲データのチェックアウトの制限回数は、１つ減じられたままになる。
【００１１】
【特許文献１】
特開２００１−２８３５６８号公報（第６頁、図１）
【００１２】
【発明が解決しようとする課題】
しかし、記録再生装置には、書き込みプロテクトフラグ制御の機能に対応していないものと、対応しているものと、がある。
【００１３】
前者のものは、チェックアウトされて記録媒体に記録された楽曲データを編集することができ、楽曲データを誤って編集してしまうおそれがある。楽曲データを誤って編集してしまうと、この楽曲データをコンピュータに戻しても、コンピュータに記録されているもとの楽曲データの書き込みプロテクトフラグのフラグ値は「０」のままとなってしまう。このため、この楽曲データをチェックアウトすることができなくなる。
【００１４】
また、後者のものであっても、編集操作が行われなければ、警告表示もなされない。このため、楽曲データを編集できないにもかかわらず編集しようとする無駄な操作をさせてしまうおそれがある。
【００１５】
本発明は、このような従来の問題点に鑑みてなされたもので、記録媒体に記録されているデータがチェックアウトデータなのか否かを容易に判別することが可能な記録再生装置及び記録再生方法を提供することを目的とする。
【００１６】
【課題を解決するための手段】
この目的を達成するため、本発明の第１の観点に係る記録再生装置は、
データを受信して記録媒体に記録し、前記記録媒体に記録されたデータを再生する記録再生装置において、
チェックアウトデータを受信して前記記録媒体に記録するデータ記録手段と、
前記データ記録手段が前記記録媒体に記録したデータがチェックアウトデータであることを示す識別情報を前記記録媒体に記録する識別情報記録手段と、
前記記録媒体に記録されたチェックアウトデータの再生時に、前記識別情報を前記記録媒体から読み出して表示部に表示させる識別情報表示手段と、を備えたものである。
【００１７】
前記識別情報記録手段は、前記識別情報を前記チェックアウトデータのタイトルデータに付加して前記記録媒体に記録し、
前記識別情報表示手段は、前記識別情報をタイトルデータとともに前記表示部に表示させるものであってもよい。
【００１８】
前記データ記録手段は、チェックアウトコマンドを受信してデータを受信すると、前記チェックアウトコマンドに続いて受信したデータがチェックアウトデータであると判定する判定手段を備えたものであってもよい。
【００１９】
前記データ記録手段は、前記チェックアウトデータを前記記録媒体に記録すると、記録したチェックアウトデータの照合用データを前記チェックアウトデータの送信元に送信する照合用データ送信手段を備えたものであってもよい。
【００２０】
本発明の第２の観点に係る記録再生方法は、
チェックアウトコマンドを受信するステップと、
チェックアウトデータを受信するステップと、
前記チェックアウトデータを記録するステップと、
前記記録したデータがチェックアウトデータである旨の識別情報を記録するステップと、
前記チェックアウトデータの再生時に、前記記録された識別情報を読み出して表示させるステップと、を備えたものである。
【００２１】
【発明の実施の形態】
以下、本発明の実施の形態に係る記録再生装置を、図面を参照して説明する。
本実施の形態に係る記録再生装置の構成を図１に示す。
記録再生装置１１は、記録データの書き換えが可能なディスク１に、楽曲データを記録したりディスク１に記録されている楽曲データを読み出したりするものである。このディスク１には、ＭＤ（Ｍｉｎｉ  Ｄｉｓｋ）のような光磁気ディスクが用いられる。このディスク１の記録エリアについては後述する。
【００２２】
記録再生装置１１は、コンピュータ１２に接続され、コンピュータ１２との間で、データの送受信を行う。記録再生装置１１は、セキュリティ部２１と、セキュリティ制御部２２と、中央制御部２３と、ＴＯＣメモリ２４と、入力部２５と、表示部２６と、駆動部２７と、を備える。
【００２３】
セキュリティ部２１は、例えば、ＵＳＢインターフェイスを備え、ＵＳＢケーブルを介してコンピュータ１２との間で通信を行うものである。また、セキュリティ部２１は、コンピュータ１２と駆動部２７及び中央制御部２３との間にて送受信されるデータの中継を行う。
【００２４】
また、セキュリティ部２１は、コンピュータ１２から送信されたデータから、チェックアウトコマンド等の制御データを取り出し、取り出した制御データを中央制御部２３に送信する。また、セキュリティ部２１は、チェックアウトレスポンス等、中央制御部２３から送信された制御データをコンピュータ１２に向けて送信する。
【００２５】
また、セキュリティ部２１は、コンピュータ１２から送信されたデータから楽曲データを取り出して、その復号を行う。そして、セキュリティ部２１は、復号後の楽曲データを駆動部２７（ＤＳＰ３３）に転送する。
【００２６】
更に、セキュリティ部２１は、楽曲データをすべて受信すると、ハッシュを計算して、その計算結果であるコンテンツハッシュをコンピュータ１２に送信する。コンテンツハッシュは、記録された楽曲データを特定するためのユニークな情報であり、コンピュータ１２は、楽曲データをチェックインするときの照合用データとしてこのコンテンツハッシュを用いる。
【００２７】
セキュリティ部２１は、ハッシュを計算するため、ＤＳＰ３３から供給された所定箇所のサウンドグループ（Ｓｏｕｎｄ  Ｇｒｏｕｐ、以後、「ＳＧ」と記す。）とコンテンツデータとトラックモードとを用いる。尚、ＳＧとは、楽曲データを記録する最小の単位をいう。セキュリティ部２１は、所定箇所のＳＧとして、例えば、楽曲データ中の１／２の箇所及び３／４の箇所のＳＧ（１フレームずつ）を用いる。
【００２８】
セキュリティ制御部２２は、マイクロコンピュータ等により構成されるコントローラであり、中央制御部２３から送られる制御コマンドに従って、セキュリティ部２１を制御する。
【００２９】
中央制御部２３は、記録再生装置１１全体を制御するものであり、マイクロコンピュータ等により構成される。
ＴＯＣメモリ２４は、ディスク１から読み出されたＵＴＯＣ情報を記憶するものである。
【００３０】
入力部２５は、ユーザが操作したときの操作情報を受け付けて、この操作情報を中央制御部２３に出力するものであり、記録、再生、停止、早送り等を指示する各種操作キーを備えている。
【００３１】
表示部２６は、入力部２５から入力される情報や、中央制御部２３から出力される各種情報を表示するものであり、液晶ディスプレイ等の表示画面を備えて構成される。
【００３２】
駆動部２７は、ディスク１を回転させて、ディスク１に楽曲データ等を記録し、また、ディスク１に記録された楽曲データを読み出すものである。駆動部２７は、光ピックアップ３１と、ＲＦアンプ３２と、ＤＳＰ（Ｄｉｇｉｔａｌ  Ｓｉｇｎａｌ  Ｐｒｏｃｅｓｓｏｒ）３３と、磁気ヘッドドライバ３４と、記録ヘッド３５と、送りモータ３６と、スピンドルモータ３７と、Ｄ／Ａ変換器３８と、を備えて構成されている。
【００３３】
光ピックアップ３１は、楽曲データの記録再生を行うために、所定の波長のレーザ光をディスクの記録面に向けて照射するものである。光ピックアップ３１は、楽曲データの再生時、照射した光の反射光を受け、この反射光を、反射光の反射レベルに対応する信号レベルの電気信号に変換し、変換した電気信号をＲＦアンプ３２に供給する。また、光ピックアップ３１は、楽曲の録音時、ディスク１の照射された部分がキュリー点以上に加熱されるようにレーザ光の強度を高め、レーザ光をディスク１の記録面に向けて照射する。
【００３４】
ＲＦアンプ３２は、光ピックアップ３１より供給された電気信号からＲＦ信号、フォーカスエラー信号及び、トラッキングエラー信号、及びＡＤＩＰ（ＡＤｄｒｅｓｓ  Ｉｎ  Ｐｒｅｇｒｏｏｖｅ、ＡＩＰＧとも略称される。）エリアのＥＦＭ信号等を生成する。ＲＦアンプ３２は、生成したＲＦ信号等をＤＳＰ３３等に供給する。また、ＲＦアンプ３２はレーザ光の出射光量を一定にするためのＡＰＣ（Ａｕｔｏｍａｔｉｃ  Ｐｏｗｅｒ  Ｃｏｎｔｒｏｌ）回路も含む。
【００３５】
ＤＳＰ３３は、中央制御部２３に制御されて、光ピックアップ３１、送りモータ３６、磁気ヘッドドライバ３４、及びスピンドルモータ３７、等を制御する。ＤＳＰ３３は、所謂音飛びに対応する等のため、図示しない記憶部を有する。
【００３６】
ＤＳＰ３３は、各種楽曲データに対するエンコード／デコード、楽曲データの一時記憶、及び中央制御部２３の制御に基づいたディスク１への記録、再生、消去に係る各種デジタル信号処理を行う。
【００３７】
即ち、ＤＳＰ３３は、録音時に、図示しないＡ／Ｄ変換器から入力される楽曲データを所定の方式で圧縮し、その圧縮された楽曲データをディスク１のフォーマットにエンコードし、ＣＩＲＣ（Ｃｒｏｓｓ  Ｉｎｔｅｒｌｅａｖｅ  Ｒｅｅｄ−ｓｏｌｏｍｏｎ  Ｃｏｄｅ）、ＥＦＭ（Ｅｉｇｈｔ  ｔｏ  Ｆｏｒｔｅｅｎ  Ｍｏｄｕｌａｔｉｏｎ）等のエンコード処理を施して得た信号を、磁気ヘッドドライバ３４を介して記録ヘッド３５に出力する。
【００３８】
また、再生時には、光ピックアップ３１が読み出した信号をＥＦＭ復調し、更にＣＩＲＣ復調して得られる、ディスク１のフォーマットの信号をデコードして音声圧縮データを生成する。そして、所定の方式により音声圧縮データを楽曲データに復元してＤ／Ａ変換器３８に出力する。
【００３９】
更に、ＤＳＰ３３は、楽曲データのチェックアウト時に、セキュリティ部２１を介してコンピュータ１２から送信された音声圧縮データを取得し、得られた音声圧縮データから、ＣＩＲＣ、ＥＦＭ等のエンコード処理を施して得た信号を記録ヘッド３５に出力する。
【００４０】
また、ＤＳＰ３３は、チェックインする楽曲データについても、光ピックアップ３１が読み出した信号をＥＦＭ復調し、更にＣＩＲＣ復調して得られる、ディスク１のフォーマットの信号をデコードして音声圧縮データとトラックモードとコンテンツデータとを生成する。そして、所定の方式により音声圧縮データを楽曲データに復元し、楽曲データからＳＧを抽出する。このようにして得られたＳＧとトラックモードとコンテンツサイズとを中央制御部２３に供給する。
【００４１】
磁気ヘッドドライバ３４は、記録ヘッド３５を制御するものである。
記録ヘッド３５は、ディスク１に楽曲データやタイトル情報、等を書き込むものであり、光ピックアップ３１と対向する位置に配置されている。記録ヘッド３５は、光ピックアップ３１によりキュリー点以上にまで加熱された、ディスク１の記録面の所定箇所を磁化することにより、楽曲データやタイトル情報、等をディスク１に記録する。
【００４２】
送りモータ３６は、ＤＳＰ３３に制御され、光ピックアップ３１と記録ヘッド３５とを所定位置に移動させる。
【００４３】
スピンドルモータ３７は、ＤＳＰ３３に制御されて、ターンテーブルやクランプ機構にて保持するディスク１を、所定の回転速度で回転駆動する。
Ｄ／Ａ変換器３８は、ＤＳＰ３３によって処理されたデジタル信号をアナログ信号に変換する。このアナログ信号は、音声信号として出力される。
【００４４】
コンピュータ１２は、楽曲データを記憶し、記憶した楽曲データを記録再生装置１１に送信したり、記録再生装置１１からの楽曲データ等を受信したりするものである。コンピュータ１２は、ＣＰＵ等の演算ユニット、メモリやハードディスク等の記憶素子、マウスやキーボード等の操作デバイス、ディスプレイ等の表示デバイス、そして、ＵＳＢインターフェイス等を備える。また、コンピュータ１２は、ハードディスク等にインストールされたＯＳ（Ｏｐｅｒａｔｉｎｇ  Ｓｙｓｔｅｍ）に従って動作し、そのＯＳ上にてＮｅｔＭＤ規格に対応してチェックアウト／チェックインを実行する。コンピュータ１２は、そのためのソフトウェアを記憶する。
【００４５】
コンピュータ１２は、図示しない通信ネットワーク、ＣＤ（Ｃｏｍｐａｃｔ  Ｄｉｓｃ）等を介して楽曲データをハードディスク等に記憶する。尚、ディスク１からコンピュータ１２に書き戻すチェックインは、チェックアウトしたコンピュータ１２に対してのみ実行可能である。
【００４６】
具体的に、コンピュータ１２は、チェックアウト機能によって、ハードディスクに予め記憶した楽曲データ（コンテンツ：チェックアウトデータ）を、記録再生装置１１に送信し、ディスク１に記録させる。その際、記録再生装置１１から送られるコンテンツハッシュを照合用データとして受信して記憶すると共に、チェックアウトの制限回数を１だけ減算する。
【００４７】
また、コンピュータ１２は、チェックイン時、チェックアウト時に記憶したコンテンツハッシュと受信したコンテンツハッシュとを比較して、チェックイン対象の楽曲データの同一性を判別する。コンピュータ１２は、同一と判定した楽曲データを、記録再生装置１１にディスク１から消去させて使用不能とさせる。その際、チェックアウトの制限回数を１だけ加算する。
【００４８】
次に、ディスク１の記録エリアについて説明する。
ディスク１の記録エリアは、図２に示すように、リードインエリアと、Ｕ−ＴＯＣエリアと、プログラムエリアと、リードアウトエリアと、からなる。
【００４９】
このうち、プログラムエリアは、楽曲データを書き込むエリアである。楽曲データは、前述したＳＧを単位として記録される。Ｕ−ＴＯＣエリアは、トラック情報を書き込むエリアである。
【００５０】
これらのエリアは、１クラスタを１記録再生動作単位として分けられている。ＭＤの場合、２３６８個のクラスタを有している。
【００５１】
Ｕ−ＴＯＣエリアには、クラスタ３〜５が用いられる。尚、３つのクラスタには、同一の内容が書き込まれ、このうち、２つのクラスタは、バックアップ用として用いられる。
【００５２】
各クラスタは、更に、３６個のセクタから構成される。ＵＴＯＣ情報は、クラスタ３〜５の中のはじめの４つを除くセクタに、１セクタ単位で記録される。各セクタに格納されるＵＴＯＣ情報は予め決められており、セクタ０には、ディスク１の基本的な情報と、トラックの開始アドレス、終了アドレスが記録される。また、セクタ１とセクタ４とには、楽曲のタイトルデータ等の文字情報が記録される。セクタ１、４には、それぞれ、文字情報がＡＳＣＩＩエンコーディング、漢字等の非ＡＳＣＩＩエンコーディングで記録される。
【００５３】
図３に、Ｕ−ＴＯＣエリアのセクタ０のデータ構造を示す。
セクタ０のデータのうち、Ｔｒａｃｋ  Ｍｏｄｅは、トラックに記録されている楽曲データのモードを示すデータである。このＴｒａｃｋ  Ｍｏｄｅは、ｄ１〜ｄ８の８ビットで構成される。
【００５４】
Ｔｒａｃｋ  Ｍｏｄｅの最上位ビットｄ１は、書き込みプロテクト（Ｗｒｉｔｅ  Ｐｒｏｔｅｃｔ、ＷＰ）フラグ用として使用される。楽曲データの編集等を禁止する場合、ビットｄ１を「１」にし、許可する場合、ビットｄ１を「０」にする。
また、ビットｄ５，ｄ６，ｄ７は、ＡＴＲＡＣ３（登録商標）  ＬＰ４、ＡＴＲＡＣ３（登録商標）  ＬＰ２等の符号化を示すために用いられる。
【００５５】
また、図４にＵ−ＴＯＣエリアのセクタ１の構造を示す。
このうち、Ｐ−ＴＮＡは、楽曲のタイトル読み出し位置を示すポインタである。実際の記録エリアは、式として（７６×４＋（Ｐ−ＴＮＡｎ）×８）を用いて求められる。また、ディスクタイトルの記録位置は、上記の式に従って、（７６×４＋（０）×８）となる。
【００５６】
タイトルデータは、７バイト単位で記録されており、タイトルデータが７バイトを越える長いものである場合は、分割して記録される。Ｌｉｎｋ−Ｐは、タイトルデータが７バイトを越える場合に次の記録位置を示すためのものである。トラックタイトルは、最大で２５５個となり、ディスクタイトルは、１個である。従って、タイトルデータの記憶容量は、最大で１７９２（＝２５６×７）バイトとなる。
【００５７】
次に本実施の形態に係る記録再生装置１１の動作を説明する。
ターンテーブル等にディスク１が搭載されると、記録再生装置１１のスピンドルモータ３７は、ディスク１を回転させる。ＤＳＰ３３は、ＲＦアンプ３２から出力されたＲＦ信号、フォーカスエラー信号及び、トラッキングエラー信号の信号レベルに基づいて、ディスク１の回転が一定となるように制御し、光ピックアップ３１の姿勢を制御する。
【００５８】
ＤＳＰ３３は、ディスク１のプログラムエリアに楽曲データを記録する場合、図示しないＡ／Ｄ変換器から入力される楽曲データを所定の方式で圧縮し、その圧縮された楽曲データをディスク１のフォーマットにエンコードし、ＣＩＲＣ、ＥＦＭ等のエンコード処理を施す。
【００５９】
ＤＳＰ３３は、送りモータ３６を制御して、光ピックアップ３１と記録ヘッド３５とをプログラムエリアに対応する位置に移動させる。
【００６０】
光ピックアップ３１は、ＤＳＰ３３に制御されて、レーザ光の強度を高め、レーザ光をディスク１の記録面に向けて照射する。
ディスク１の照射された部分がキュリー点以上に加熱されると、ＤＳＰ３３は、エンコード処理をして得た信号を、磁気ヘッドドライバ３４を介して記録ヘッド３５に出力する。
【００６１】
記録ヘッド３５は、ディスク１の記録面を磁化することにより、楽曲データをディスク１のプログラムエリアに記録する。
【００６２】
次に、ＵＴＯＣ情報をディスク１のＵ−ＴＯＣエリアに記録する場合、ＤＳＰ３３は、送りモータ３６を制御して、光ピックアップ３１と記録ヘッド３５とをＵ−ＴＯＣエリアに対応する位置に移動させる。
【００６３】
記録ヘッド３５は、ディスク１の記録面を磁化することにより、ＵＴＯＣ情報をディスク１のＵ−ＴＯＣエリアに記録する。中央制御部２３は、Ｕ−ＴＯＣエリアから読み出されたＵＴＯＣ情報をＴＯＣメモリ２４に記憶する。
【００６４】
入力部２５から、ディスク１に記録されている楽曲データの再生を開始する旨の指示が入力されると、中央制御部２３は、ＴＯＣメモリ２４に記憶されたＵ−ＴＯＣ情報に基づいてプログラムエリアの楽曲データの構成を特定する。
【００６５】
中央制御部２３は、ＵＴＯＣ情報に基づいて特定された記録データの構成に従って駆動部２７の動作を制御し、ディスク１に記録された記録データの再生を開始する。
【００６６】
中央制御部２３は、ＤＳＰ３３を介して、送りモータ３６により、光ピックアップ３１を楽曲データの読出位置まで移動させる。光ピックアップ３１は、レーザ光をディスク１に照射して戻り光を検出し、電気信号に変換して変換した電気信号をＲＦアンプ３２に送る。
【００６７】
ＲＦアンプ３２は、光ピックアップ３１から受けた信号に基づいた演算処理等を実行し、電気信号から、データ信号である再生ＲＦ信号、トラッキングエラー信号、フォーカスエラー信号等を抽出する。ＲＦアンプ３２は、抽出した各種の信号をＤＳＰ３３に送る。
【００６８】
ＤＳＰ３３は、ＲＦアンプ３２から受けた信号をデコードするなどの所定の処理を実行し、再生したトラックデータを適宜Ｄ／Ａ変換器３８等に出力する。
【００６９】
次に、コンピュータ１２がＮｅｔＭＤ規格の楽曲データをチェックアウトする場合の動作について説明する。
コンピュータ１２は、ディスク１にＮｅｔＭＤ規格の楽曲データをチェックアウトする場合、チェックアウトの制限回数を１だけ減算する。
【００７０】
そして、コンピュータ１２は、チェックアウト処理を行い、記録再生装置１１との間でデータの送受信を行う。この動作を図５に示すフローチャートに基づいて説明する。
【００７１】
コンピュータ１２は、記録再生装置１１にチェックアウトコマンドを送信する（ステップＳ１１）。セキュリティ部２１は、コンピュータ１２から送信されたデータから、チェックアウトコマンドを取り出し、取り出したチェックアウトコマンドを中央制御部２３に転送する。
記録再生装置１１の中央制御部２３は、コマンドを受信する（ステップＳ１２）。
【００７２】
中央制御部２３は、受信したコマンドがＮｅｔＭＤ規格に対応するチェックアウトコマンドか否かを判定する（ステップＳ１３）。
受信したコマンドがチェックアウトコマンドではない場合（ステップＳ１３においてＮｏ）、中央制御部２３は、ＮｅｔＭＤ規格に未対応のデータを受信して（ステップＳ１４）、この処理を終了させる。
【００７３】
受信したコマンドがチェックアウトコマンドである場合（ステップＳ１３においてＹｅｓ）、中央制御部２３は、チェックアウトレスポンスを、送信したコンピュータ１２にセキュリティ部２１を介して送信する（ステップＳ１５）。
【００７４】
コンピュータ１２は、記録再生装置１１から送信されたチェックアウトレスポンスを受信する（ステップＳ１６）。
コンピュータ１２は、チェックアウトレスポンスを受信すると、記録させる楽曲データの記録可能な録音スペースがあるか否かを記録再生装置１１に問い合わせる（ステップＳ１７）。具体的には、コンピュータ１２は、トラック属性、データサイズ、及び、トラックモード等の情報を記録再生装置１１に送って、この問い合わせを行う。
【００７５】
記録再生装置１１の中央制御部２３は、この問い合わせを受信して、ディスク１に録音スペースがあるか否かを判定する（ステップＳ１８）。
ディスク１に録音スペースがない場合（ステップＳ１８においてＮｏ）、中央制御部２３は、録音スペースがない旨を表示するように表示部２６を制御して、異常処理を行う（ステップＳ１９）。
【００７６】
尚、中央制御部２３は、ディスク１に録音スペースがない旨の問い合わせ結果をコンピュータ１２に送信する。コンピュータ１２は、この問い合わせ結果を受け取ると、チェックアウト処理を終了させる。
【００７７】
ディスク１に録音スペースがある場合（ステップＳ１８においてＹｅｓ）、中央制御部２３は、その旨の問い合わせ結果をコンピュータ１２に送信する（ステップＳ２０）。
【００７８】
コンピュータ１２は、録音スペースありの問い合わせ結果を受信すると（ステップＳ２１）、楽曲データ等を送信する（ステップＳ２２）。
記録再生装置１１の中央制御部２３は、このデータを受信するようにセキュリティ部２１を制御する（ステップＳ２３）。セキュリティ部２１は、コンピュータ１２から送信されたデータから楽曲データを取り出して、その復号を行う。そして、セキュリティ部２１は、復号後の楽曲データを駆動部２７のＤＳＰ３３に転送する。
【００７９】
中央制御部２３は、駆動部２７を制御して、受信したデータをディスク１に記録させる（ステップＳ２４）。
【００８０】
中央制御部２３は、データのすべてを受信すると、セキュリティ部２１を制御して、照合用データとしてのコンテンツハッシュをコンピュータ１２に送信する（ステップＳ２５）。
【００８１】
コンピュータ１２は、記録再生装置１１からの照合用データを受信すると（ステップＳ２６）、受信した照合用データを記憶する（ステップＳ２７）。そして、コンピュータ１２は、チェックアウト処理を終了させる。
【００８２】
一方、記録再生装置１１の中央制御部２３は、楽曲タイトルのデータに、この楽曲がＮｅｔＭＤ規格のものである旨のデータを付加して（ステップＳ２８）、このチェックアウト処理を終了させる。
【００８３】
中央制御部２３は、チェックアウトされた楽曲データを再生するときに、この楽曲データのタイトルとともに、この楽曲がＮｅｔＭＤ規格のものである旨を表示部２６に表示させる。
【００８４】
次に、この動作を更に具体的に説明する。
記録再生装置１１の中央制御部２３は、チェックアウトデータを受信すると受信したチェックアウトデータをディスク１のプログラムエリアに記録する（図５のステップＳ２４の処理）。
【００８５】
また、中央制御部２３は、楽曲データのタイトルデータを、図４に示すようなセクタ１のエリアに記録する。
更に、中央制御部２３は、タイトルデータの先頭部分に所定の文字列として、例えば、「Ｎｅｔ：」を付加して、セクタ１のエリアに書き込む（図５のステップＳ２８の処理）。
【００８６】
そして、中央制御部２３は、表示部２６に、この文字列が付加されたタイトルデータを表示させる。
【００８７】
受信したデータがチェックアウトデータでなければ、表示部２６には、図６（ａ）に示すような表示がなされる。
【００８８】
一方、受信したデータがチェックアウトデータであれば、表示部２６には、図６（ｂ）に示すような表示がなされる。ユーザは、この表示に従って、楽曲データがチェックアウトされたものである旨を視認することができる。
【００８９】
尚、書き込みプロテクトフラグが「１」になっている場合でも、この表示がなされるので、ユーザは、編集操作をせずに済む。
【００９０】
以上説明したように、本実施の形態によれば、ＮｅｔＭＤ規格に従ってチェックアウトされた楽曲データについては、ＮｅｔＭＤ規格の楽曲データである旨を表示部２６に表示させるようにした。従って、チェックアウトされた楽曲データなのか否かを容易に判別することができる。
【００９１】
尚、本発明を実施するにあたっては、種々の形態が考えられ、上記実施の形態に限られるものではない。
例えば、ディスク１は、書き換え可能なものであれば、ＭＤに限られるものではなく、ＣＤ−ＲＷ（Ｃｏｍｐａｃｔ  Ｄｉｓｋ  ＲｅＷｒｉｔａｂｌｅ）、ＤＶＤ（Ｄｉｇｉｔａｌ  Ｖｅｒｓａｔｉｌｅ  Ｄｉｓｋ）、ＭＯ（Ｍａｇｎｅｔｏ  Ｏｐｔｉｃａｌ  Ｄｉｓｋ）であってもよい。また、記録媒体は、このようなディスクに限られるものではなく、例えば、半導体メモリであってもよい。
【００９２】
また、記録再生装置１１とコンピュータ１２との間で送受信を行うためのインターフェイスは、ＵＳＢに限られるものではなく、例えば、ＩＥＥＥ１３９４等のようなものであってもよい。
【００９３】
【発明の効果】
以上説明したように、本発明によれば、記録媒体に記録されているデータがチェックアウトデータなのか否かを容易に判別することができる。
【図面の簡単な説明】
【図１】本発明の第１の実施の形態に係る記録再生装置の構成を示すブロック図である。
【図２】ディスクの記録エリアを示す説明図である。
【図３】図２に示すＵ−ＴＯＣエリアのセクタ０に記録される情報の一例を示す説明図である。
【図４】図２に示すＵ−ＴＯＣのセクタ１に記録される情報の一例を示す説明図である。
【図５】図１の記録再生装置とコンピュータとが行う送受信処理の具体例を示す説明図である。
【図６】図１に示す表示部の表示例を示す説明図である。
【符号の説明】
１  ディスク
１１  記録再生装置
１２  コンピュータ
２３  中央制御部
２６  表示部
【図１】
2004259410.tif 000003
【図２】
2004259410.tif 000004
【図３】
2004259410.tif 000005
【図４】
2004259410.tif 000006
【図５】
2004259410.tif 000007
【図６】
2004259410.tif 000008